(57)【要約】【課題】  海底に投錨した種々のタイプのアンカーが海底の岩礁等に食い込んだ状態となっても当該アンカーの引き上げを容易に行えるようにする。【解決手段】  海底の岩礁に係止可能となるよう船舶係留用のアンカーＱに装着し、当該アンカーＱに強制的な牽引力を作用することにより当該アンカーＱから離脱可能とした生分解性プラスチックによるカバー具本体１を備える。カバー具本体１には、海底の岩礁に係止するための爪状の突起３と、カバー具本体１に可撓性を付与するためのメッシュ状の可撓性面部を備える。【選択図】      図１
2006282130.tif 000002
【特許請求の範囲】
【請求項１】
海底の岩礁に係止可能となるよう船舶係留用のアンカーに装着され、当該アンカーに強制的な牽引力を作用させることにより当該アンカーから離脱可能としたカバー具本体を備えたことを特徴とした船舶用アンカーの離脱用カバー具。
【請求項２】
カバー具本体には、海底の岩礁に係止させる爪状の突起を有して成る請求項１記載の船舶用アンカーの離脱用カバー具。
【請求項３】
カバー具本体には、自体に可撓性を付与すべくメッシュ状の可撓性面部を備えている請求項１または２記載の船舶用アンカーの離脱用カバー具
【請求項４】
カバー具本体は、生分解性プラスチックによって形成されて成る請求項１乃至３のいずれか記載の船舶用アンカーの離脱用カバー具。
【発明の詳細な説明】
【技術分野】
【０００１】
本発明は、例えばヨット、クルーザー、漁船等の比較的に小型の船舶を係留させるための船舶用アンカーにおいて、これが岩礁等に係止していることで抜錨時に離脱できない場合等があるとき、これからの離脱を容易にした船舶用アンカーの離脱用カバー具に関する。
【背景技術】
【０００２】
従来から、船舶のアンカーを海底に投錨した際に、このアンカーが海底の岩礁等に食い込んだ状態となって係留状態を確実にしても、その反面、抜錨に際して当該アンカーの引き上げが困難となることがしばしば発生する。その場合には従来ではアンカーロープを切断することによりアンカー自体を海底に放棄せざるを得なかった。このため、経済的な損失を蒙ると同時に、海底に残されたアンカー自体の腐蝕によって海洋が汚染されてしまう虞れがあった。
【０００３】
このような欠点を解消すべく従来では、特許文献１に開示されているように、所定の引き上げ力に伴い、アンカー爪の基部に設けたカッターによって、回転を拘束している角材等を剪断破壊または支圧破壊させることで、一対のアンカー爪の基部がヒンジ構造となって独自に回転可能となり、根掛かり状態からアンカー爪が脱却してアンカーを引き上げられるようにした技術が存在する。
【０００４】
また、特許文献２に開示されているように、アンカー自体を可撓性のある複数枚の帯板を組み合わせて形成することで、アンカーが岩礁等に食い込んで外れなくなっても、係留索を強制的に引っ張ることでアンカー自体が可逆的に変形して岩礁等から容易に離脱できるようにした技術が存在する。
【０００５】
さらに、特許文献３に開示されているように、一対の支柱に対し左右一対のアンカー爪を回動可能に支持し、弾性部材の張力で牽引ロープを両支柱の先端に係止し、アンカー爪の根掛かり発生時にはこの牽引ロープを強制的に引っ張ることで両支柱に対する牽引ロープの係止を解除させ、当該牽引ロープの作用点をアンカー爪の基部に変更して根掛かりから離脱させるようにした技術が存在する。
【特許文献１】特開２００３−２６０７８号公報
【特許文献２】特開平１１−２０８５７３号公報
【特許文献３】特開平９−２０２２９０号公報
【発明の開示】
【発明が解決しようとする課題】
【０００６】
しかしながら、上記した従来例によれば、特許文献１のように、アンカー爪の基部にカッターを設けたり、特許文献３のように、左右一対のアンカー爪を回動可能に支持した一対の支柱間に弾性部材を設けたりする等、構成自体が複雑となり、かえって製作コストが高くなってしまう。しかも、従来存するダンホース型アンカー、ブリタニー型アンカー、コブラ型アンカー、ホールデイング型アンカー、マッシュルーム型アンカー、フロートスタンデイング型アンカー、ストックレス型アンカー等の各種のアンカー類自体にこのようなカッター構造や弾性機構等を付設応用させるには無理がある。
【０００７】
また、特許文献２に示すように、アンカー自体を可撓性のある複数枚の帯板を組み合わせて形成するものにあっては、アンカー自体が軟弱なものとなって、確実に係留させることが不可能となり、しかも係留索の強制的な引っ張りによってアンカー自体が破断損壊されてしまう虞れがある。
【０００８】
そこで、本発明は叙上のような従来存した諸事情に鑑み創出されたもので、海底に投錨した種々のタイプのアンカーが海底の岩礁等に食い込んだ状態となっても、抜錨時には当該アンカーの引き上げが容易に行えると共に、低コストに製作でき、しかも海洋汚染を防止することができるものとした船舶用アンカーの離脱用カバー具を提供することを目的とする。
【課題を解決するための手段】
【０００９】
上述した課題を解決するため、本発明にあっては、海底の岩礁Ｐに係止可能となるよう船舶係留用のアンカーＱに装着され、当該アンカーＱに強制的な牽引力を作用させることにより当該アンカーＱから離脱可能としたカバー具本体１を備えたものである。
また、カバー具本体１には、海底の岩礁Ｐに係止させる爪状の突起３を有し、さらにカバー具本体には、自体に可撓性を付与すべくメッシュ状の可撓性面部４を備えているものとできる。
そして、カバー具本体１は、生分解性プラスチックによって形成されて成るものとすることができる。
【００１０】
以上のように構成された本発明に係る船舶用アンカーの離脱用カバー具にあって、アンカーＱに装着されているカバー具本体１は、該カバー具本体１の爪状の突起３によって海底の岩礁Ｐに係止されている状態から、抜錨時には当該アンカーＱを強制的に牽引することにより当該アンカーＱから離脱して海底に放棄されたまま当該アンカーＱを引き上げさせる。
また、メッシュ状の可撓性面部４を備えているカバー具本体１は、該カバー具本体１に伸縮性を付与させる。
このとき、生分解性プラスチックによって成形されたカバー具本体１は、離脱後そのまま海底に放置されても、微生物の働きで無害な二酸化炭素と水とに分解させる。
【発明の効果】
【００１１】
本発明によれば、例えばヨット、クルーザー、漁船等の比較的に小型の船舶を係留するため、海底に投錨した種々のタイプのアンカーＱが海底の岩礁Ｐ等に食い込んだ状態となっても当該アンカーＱの引き上げが容易に行えると共に、低コストに製作でき、しかも海洋汚染を防止することができる。
【００１２】
すなわちこれは本発明が、海底の岩礁Ｐに係止可能となるよう船舶係留用のアンカーＱに装着され、当該アンカーＱに強制的な牽引力を作用させることにより当該アンカーＱから離脱可能としたカバー具本体１を備えたからであり、海底に投錨した種々のタイプのアンカーＱが海底の岩礁Ｐ等に食い込んだ状態となっても、抜錨時には当該アンカーＱに強制的な牽引力を作用させることにより当該アンカーＱからカバー具本体１が離脱され、カバー具本体１を残留させることで当該アンカーＱの引き上げが容易に行えるものとなる。  
【００１３】
また、本発明によるカバー具本体１は、従来存するダンホース型アンカー、ブリタニー型アンカー、コブラ型アンカー、ホールデイング型アンカー、マッシュルーム型アンカー、フロートスタンデイング型アンカー、ストックレス型アンカー等の各種のアンカーＱ類にも充分に適用することができ、従来のように根掛かり状態からアンカー爪を脱却させるためのカッター構造や弾性機構等を付設する等のようにカッター構造自体を複雑に構成する必要が無くなる。
【００１４】
カバー具本体１には、海底の岩礁Ｐに係止させる爪状の突起３を有しているので、当該カバー具本体１を海底の岩礁Ｐにしっかりと係止させることができ、アンカーＱの引き上げに際し、当該アンカーＱとカバー具本体１との分離が確実に行える。
【００１５】
カバー具本体１には、メッシュ状の可撓性面部４を備えているので、該カバー具本体に伸縮性が付与されるものとなり、アンカーＱのサイズの違いに充分に対応させることができる。
【００１６】
カバー具本体１は、生分解性プラスチックによって形成されているので、当該カバー具本体１自体を低コストに製作できると共に、離脱後そのまま海底に放置しておいても生分解にて完全に自然に還るものとなって海底の汚染を防止することができる。
【００１７】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１８】
以下、図面を参照して本発明を実施するための最良の一形態を説明すると、図において示される符号１は、船舶を係留させるための船舶用アンカーＱの離脱用カバー具を構成する後述する生分解性プラスチックによって形成されたカバー具本体である。
【００１９】
カバー具本体１は、例えば図１に示すように、船舶より牽引用のチェーン１１に連繋され、ロッド状のストック１２により保持されて成るシャンク１３の付け根に、先端がエッジ状に尖った略直角三角形のクサビ型平板によって形成された左右一対のブレード１４の末端辺部分を揺動可能に枢着して成る所謂ダンホース型のアンカーＱにおける当該ブレード１４に先端エッジ側から装着されるよう一端辺側に挿入開口部２を備えた略直角三角形の鞘状となって形成されている。この挿入開口部２の横幅員はブレード１４の横幅員よりも若干小さく形成されており、カバー具本体１がブレード１４に装着されている状態において、当該カバー具本体１に対し僅かな引っ張り力が働いてもブレード１４から容易に抜脱されないようにしてある。
【００２０】
尚、本実施の形態ではカバー具本体１をダンホース型のアンカーＱに使用しているが、これに限らず、例えばブリタニー型アンカー、コブラ型アンカー、ホールデイング型アンカー、マッシュルーム型アンカー、フロートスタンデイング型アンカー、ストックレス型アンカー等の各種のアンカーＱ類に適用できることは勿論である。
【００２１】
図３に示すように、この略直角三角形を呈するカバー具本体１の斜辺における先端エッジ側には例えば前後一対のクサビ型爪状の突起３が先端エッジ部分を側面から外方へ向けられるようにして一体形成されており、この突起３によってアンカーＱ自体を海底の岩礁Ｐにしっかりと食い付くように係止させることで船舶を移動不能に係留できるようにしてある。
【００２２】
図４には突起３の他例が示されており、カバー具本体１の斜辺における先端エッジ側から裏表の両平側面にかけて先端エッジ部分が外方へ突出するよう略ヒダ状となって突起３が形成されている。
【００２３】
そして、アンカーＱの引き上げに際し、船舶より牽引用のチェーン１１を不図示のチェーン巻取装置によって強制的に牽引させることで、海底の岩礁Ｐにしっかりと食い付くように係止されているカバー具本体１をアンカーＱのブレード１４から分離させて当該アンカーＱのみを引き上げることができるようにしてある。
【００２４】
また、図５、図６に示すように、カバー具本体１の平側面部にはカバー具本体１自体に可撓性を付与するためのメッシュ状の可撓性面部４を備えている。例えば図５では、メッシュ状の可撓性面部４が、カバー具本体１の裏表平側面部に形成された開口部双方に、帯材を互いに交差させた格子枠部によって形成されている。
【００２５】
一方、図６では、メッシュ状の可撓性面部４が、カバー具本体１の裏表平側面部に形成された開口部双方に、略十字型の小さな穿孔をアットランダムに形成させた薄肉な膜部によって形成されている。こうすることでカバー具本体１に伸縮柔軟性が付与され、これによってアンカーＱのブレード１４の幅員が若干大きい場合でも、カバー具本体１の挿入開口部を若干伸長させることでブレード１４に容易に装着でき、しかも装着後にはカバー具本体１がブレード１４にフィットしてしっかりと密着保持されるようにしてある。
【００２６】
また、カバー具本体１自体はアンカーＱから離脱後に海底に放置されるのであるが、海底の汚染を防止すべく、カバー具本体１自体は所謂バイオポリエステルプラスチックと称する生分解性プラスチックによって形成されている。
【００２７】
すなわち、この生分解性プラスチックは、微生物の働きで無害な二酸化炭素と水に分解される脂肪族ポリエステルを素材としている。例えば微生物を発酵槽の中で培養することによって微生物体内に共重合ポリエステルを生合成させ、有機溶媒によって処理を行なって微生物の細胞中から共重合ポリエステルを取り出しペレットにしてから成形機械を用いて成形することで製造される。
【００２８】
尚、この共重合ポリエステルにガラス繊維を配合させて剛性を高めるようにしても良い。また、生分解性プラスチックの他の製造方法としては、例えば穀類、植物繊維、海草類等の天然素材を、他の天然素材から成るバインダーと水とによって所定形状に固化して形成しても良い。
【００２９】
次に、以上のように構成された最良の形態についての使用、動作の一例について説明すると、図１に示すように、アンカーＱのブレード１４の先端エッジ側にカバー具本体１を、これの挿入開口部２から挿入して当該ブレード１４の略全面を覆うように装着する。このとき挿入開口部２の横幅員はブレード１４の横幅員よりも若干小さいため、カバー具本体１の挿入開口部２を拡開方向に若干伸長させた状態でブレード１４に装着することで当該カバー具本体１はブレード１４にしっかりと密着保持される。
【００３０】
船舶係留時において、船舶からチェーン１１を介してアンカーＱが自重に任せて海底に引き下ろされる。そして、アンカーＱのブレード１４に装着されているカバー具本体１は、この突起３によって海底の例えば岩礁Ｐ等に係止され、船舶の移動が阻止される状態となる。
【００３１】
図２に示すように、抜錨して船舶移動時において、船舶から不図示のチェーン巻取装置によってチェーン１１を強制的に牽引させることでアンカーＱを引き上げる。このとき、カバー具本体１の突起３によってカバー具本体１自体を海底の岩礁Ｐにしっかりと食い付くように係止させてあるため、当該カバー具本体１はアンカーＱのブレード１４から離脱して当該アンカーＱのみが引き上げられ、カバー具本体１自体は海底に放置される。このカバー具本体１は、生分解性プラスチックによって成形されているため、微生物の働きで無害な二酸化炭素と水とに分解させられ、海洋を汚染することがないのである。
【図面の簡単な説明】
【００３２】
【図１】本発明を実施するための最良の形態におけるアンカー使用状態を示す斜視図である。
【図２】同じく岩礁に係止されている離脱用カバー具からアンカーを抜脱した状態を示す斜視図である。
【図３】板状の離脱用カバー具の一例を示すもので、（ａ）は平面図、（ｂ）は側面図である。
【図４】板状の離脱用カバー具の他の一例を示すもので、（ａ）は平面図、（ｂ）は側面図である。
【図５】メッシュ状の離脱用カバー具の一例を示すもので、（ａ）は平面図、（ｂ）は側面図である。
【図６】メッシュ状の離脱用カバー具の他の一例を示すもので、（ａ）は平面図、（ｂ）は側面図である。
【符号の説明】
【００３３】
Ｐ…岩礁                                Ｑ…アンカー
１…カバー具本体                        ２…挿入開口部
３…突起                                ４…可撓性面部
１１…チェーン                          １２…ストック
１３…シャンク                          １４…ブレード
【図１】
2006282130.tif 000003
【図２】
2006282130.tif 000004
【図３】
2006282130.tif 000005
【図４】
2006282130.tif 000006
【図５】
2006282130.tif 000007
【図６】
2006282130.tif 000008